(57)【特許請求の範囲】
【請求項１】
注文品目情報とその注文品目の製造方法からなる明細情報を記憶する明細情報記憶部を含む明細情報管理手段と、
前記注文品目を製造するために必要な鋳造工程における鋳造工程生産計画及び圧延工程における圧延工程生産計画を編成する生産計画手順であるシナリオを複数記憶したシナリオ記憶部と、
前記シナリオ記憶部に記憶された複数のシナリオから所定のシナリオを選定し、選定されたシナリオに基づいて鋳造工程生産計画及び圧延工程生産計画の編成を実行するための指令を出力するシナリオ実行部と、
予め設定した制約条件を満足し、前記明細情報記憶部に記憶された明細情報及び前記シナリオ実行部から出力された前記指令に基づいて、鋳造工程生産計画を編成する鋳造編成処理部と、
予め設定した制約条件を満足し、前記明細情報記憶部に記憶された明細情報及び前記シナリオ実行部によって選定されたシナリオに基づいて、圧延工程生産計画を編成する圧延編成処理部と、
前記鋳造編成処理部が、前記シナリオ実行部で明細情報の入替え「有」のシナリオが選定され、かつ、最初に編成された鋳造工程生産計画に含まれる明細情報の中に当該工程の制約条件を満足しない明細情報が存在する場合は、明細情報を入替える鋳造工程明細情報補填処理部と、
前記圧延編成処理部が、前記シナリオ実行部で明細情報の入替え「有」のシナリオが選定され、かつ、最初に編成された圧延工程生産計画に含まれる明細情報の中に当該工程の制約条件を満足しない明細情報が存在する場合は、明細情報を入替える圧延工程明細情報補填処理部と、
前記鋳造工程明細情報補填処理部又は前記圧延工程明細情報補填処理部から明細情報の入替え要求を受けた場合に、制約条件を満足する明細情報を前記明細情報記憶部に記憶された明細情報から再選択して前記鋳造工程明細情報補填処理部又は前記圧延工程明細情報補填処理部に転送する明細情報選択処理部と、を具備し、
前記シナリオ記憶部が、少なくとも、
１．明細情報の選択から生産計画の編成を開始する自動編成シナリオ
２．予め選択された明細情報に基づいて生産計画を編成する明細固定編成シナリオ
３．製造ロット内の生産順を固定して生産計画を編成する製造順固定編成シナリオ
を記憶する、
ことを特徴とする生産計画編成装置。
【請求項２】
注文品目情報とその注文品目の製造方法からなる明細情報を記憶する明細情報記憶部を含む明細情報管理手段と、
前記注文品目を製造するために必要な鋳造工程における鋳造工程生産計画及び圧延工程における圧延工程生産計画を編成する生産計画手順であるシナリオを複数記憶したシナリオ記憶部と、
前記シナリオ記憶部に記憶された複数のシナリオから所定のシナリオを選定し、選定されたシナリオに基づいて鋳造工程生産計画及び圧延工程生産計画の編成を実行するための指令を出力するシナリオ実行部と、
予め設定した制約条件を満足し、前記明細情報記憶部に記憶された明細情報及び前記シナリオ実行部から出力された前記指令に基づいて、鋳造工程生産計画を編成する鋳造編成処理部と、
予め設定した制約条件を満足し、前記明細情報記憶部に記憶された明細情報及び前記シナリオ実行部によって選定されたシナリオに基づいて、圧延工程生産計画を編成する圧延編成処理部と、
前記鋳造編成処理部が、前記シナリオ実行部で明細情報の入替え「有」のシナリオが選定され、かつ、最初に編成された鋳造工程生産計画に含まれる明細情報の中に当該工程の制約条件を満足しない明細情報が存在する場合は、明細情報を入替える鋳造工程明細情報補填処理部と、
前記圧延編成処理部が、前記シナリオ実行部で明細情報の入替え「有」のシナリオが選定され、かつ、最初に編成された圧延工程生産計画に含まれる明細情報の中に当該工程の制約条件を満足しない明細情報が存在する場合は、明細情報を入替える圧延工程明細情報補填処理部と、
前記鋳造工程明細情報補填処理部又は前記圧延工程明細情報補填処理部から明細情報の入替え要求を受けた場合に、制約条件を満足する明細情報を前記明細情報記憶部に記憶された明細情報から再選択して前記鋳造工程明細情報補填処理部又は前記圧延工程明細情報補填処理部に転送する明細情報選択処理部と、を具備し、
前記シナリオ記憶部が、少なくとも、
前記圧延編成処理部及び前記鋳造編成処理部を、前記圧延編成処理部、前記鋳造編成処理部、前記圧延編成処理部の順序に実行し、
最初の前記圧延編成処理部および前記鋳造編成処理部の実行時には前記明細情報補填処理部による補填を行い、最後の前記圧延編成処理部の実行時には前記明細情報補填処理部による補填を行わないシナリオを記憶する、
ことを特徴とする生産計画編成装置。
【請求項３】
注文品目情報とその注文品目の製造方法からなる明細情報を記憶する明細情報記憶部を含む明細情報管理手段と、
前記注文品目を製造するために必要な鋳造工程における鋳造工程生産計画及び圧延工程における圧延工程生産計画を編成する生産計画手順であるシナリオを複数記憶したシナリオ記憶部と、
前記シナリオ記憶部に記憶された複数のシナリオから所定のシナリオを選定し、選定されたシナリオに基づいて鋳造工程生産計画及び圧延工程生産計画の編成を実行するための指令を出力するシナリオ実行部と、
予め設定した制約条件を満足し、前記明細情報記憶部に記憶された明細情報及び前記シナリオ実行部から出力された前記指令に基づいて、鋳造工程生産計画を編成する鋳造編成処理部と、
予め設定した制約条件を満足し、前記明細情報記憶部に記憶された明細情報及び前記シナリオ実行部によって選定されたシナリオに基づいて、圧延工程生産計画を編成する圧延編成処理部と、
前記鋳造編成処理部が、前記シナリオ実行部で明細情報の入替え「有」のシナリオが選定され、かつ、最初に編成された鋳造工程生産計画に含まれる明細情報の中に当該工程の制約条件を満足しない明細情報が存在する場合は、明細情報を入替える鋳造工程明細情報補填処理部と、
前記圧延編成処理部が、前記シナリオ実行部で明細情報の入替え「有」のシナリオが選定され、かつ、最初に編成された圧延工程生産計画に含まれる明細情報の中に当該工程の制約条件を満足しない明細情報が存在する場合は、明細情報を入替える圧延工程明細情報補填処理部と、
前記鋳造工程明細情報補填処理部又は前記圧延工程明細情報補填処理部から明細情報の入替え要求を受けた場合に、制約条件を満足する明細情報を前記明細情報記憶部に記憶された明細情報から再選択して前記鋳造工程明細情報補填処理部又は前記圧延工程明細情報補填処理部に転送する明細情報選択処理部と、を具備し、
前記シナリオ記憶部が、少なくとも、
前記圧延編成処理部及び前記鋳造編成処理部を、前記鋳造編成処理部、前記圧延編成処理部の順序に実行し、
前記鋳造編成処理部の実行時には前記明細情報補填処理部による補填を行い、前記圧延編成処理部の実行時には前記明細情報補填処理部による補填を行わないシナリオを記憶する、
ことを特徴とする生産計画編成装置。
【請求項４】
注文品目情報とその注文品目の製造方法からなる明細情報を記憶する明細情報記憶部を含む明細情報管理手段と、
前記注文品目を製造するために必要な鋳造工程における鋳造工程生産計画及び圧延工程における圧延工程生産計画を編成する生産計画手順であるシナリオを複数記憶したシナリオ記憶部と、
前記シナリオ記憶部に記憶された複数のシナリオから所定のシナリオを選定し、選定されたシナリオに基づいて鋳造工程生産計画及び圧延工程生産計画の編成を実行するための指令を出力するシナリオ実行部と、
予め設定した制約条件を満足し、前記明細情報記憶部に記憶された明細情報及び前記シナリオ実行部から出力された前記指令に基づいて、鋳造工程生産計画を編成する鋳造編成処理部と、
予め設定した制約条件を満足し、前記明細情報記憶部に記憶された明細情報及び前記シナリオ実行部によって選定されたシナリオに基づいて、圧延工程生産計画を編成する圧延編成処理部と、
前記鋳造編成処理部が、前記シナリオ実行部で明細情報の入替え「有」のシナリオが選定され、かつ、最初に編成された鋳造工程生産計画に含まれる明細情報の中に当該工程の制約条件を満足しない明細情報が存在する場合は、明細情報を入替える鋳造工程明細情報補填処理部と、
前記圧延編成処理部が、前記シナリオ実行部で明細情報の入替え「有」のシナリオが選定され、かつ、最初に編成された圧延工程生産計画に含まれる明細情報の中に当該工程の制約条件を満足しない明細情報が存在する場合は、明細情報を入替える圧延工程明細情報補填処理部と、
前記鋳造工程明細情報補填処理部又は前記圧延工程明細情報補填処理部から明細情報の入替え要求を受けた場合に、制約条件を満足する明細情報を前記明細情報記憶部に記憶された明細情報から再選択して前記鋳造工程明細情報補填処理部又は前記圧延工程明細情報補填処理部に転送する明細情報選択処理部と、を具備し、
前記シナリオ記憶部が、少なくとも、
前記圧延編成処理部及び前記鋳造編成処理部を、前記鋳造編成処理部、前記圧延編成処理部の順序に実行し、
前記鋳造編成処理部および前記圧延編成処理部の実行時には前記明細情報補填処理部による補填を行わないシナリオを記憶する、
ことを特徴とする生産計画編成装置。
【請求項５】
注文品目情報とその注文品目の製造方法からなる明細情報を記憶する明細情報記憶部を含む明細情報管理手段と、
前記注文品目を製造するために必要な鋳造工程における鋳造工程生産計画及び圧延工程における圧延工程生産計画を編成する生産計画手順であるシナリオを複数記憶したシナリオ記憶部と、
前記シナリオ記憶部に記憶された複数のシナリオから所定のシナリオを選定し、選定されたシナリオに基づいて鋳造工程生産計画及び圧延工程生産計画の編成を実行するための指令を出力するシナリオ実行部と、
予め設定した制約条件を満足し、前記明細情報記憶部に記憶された明細情報及び前記シナリオ実行部から出力された前記指令に基づいて、鋳造工程生産計画を編成する鋳造編成処理部と、
予め設定した制約条件を満足し、前記明細情報記憶部に記憶された明細情報及び前記シナリオ実行部によって選定されたシナリオに基づいて、圧延工程生産計画を編成する圧延編成処理部と、
前記鋳造編成処理部が、前記シナリオ実行部で明細情報の入替え「有」のシナリオが選定され、かつ、最初に編成された鋳造工程生産計画に含まれる明細情報の中に当該工程の制約条件を満足しない明細情報が存在する場合は、明細情報を入替える鋳造工程明細情報補填処理部と、
前記圧延編成処理部が、前記シナリオ実行部で明細情報の入替え「有」のシナリオが選定され、かつ、最初に編成された圧延工程生産計画に含まれる明細情報の中に当該工程の制約条件を満足しない明細情報が存在する場合は、明細情報を入替える圧延工程明細情報補填処理部と、
前記鋳造工程明細情報補填処理部又は前記圧延工程明細情報補填処理部から明細情報の入替え要求を受けた場合に、制約条件を満足する明細情報を前記明細情報記憶部に記憶された明細情報から再選択して前記鋳造工程明細情報補填処理部又は前記圧延工程明細情報補填処理部に転送する明細情報選択処理部と、を具備し、
前記シナリオ記憶部が、少なくとも、
前記鋳造編成処理部だけを鋳造順を変更せずに鋳造工程生産計画を編成するシナリオを記憶する、
ことを特徴とする生産計画編成装置。
【発明の詳細な説明】
【０００１】
【発明の属する技術分野】
本発明は生産計画編成装置に係わり、特に種々の注文仕様を満足するとともに生産工程の制限をも満足する生産計画を編成することの可能な生産計画編成装置に関する。
【０００２】
【従来の技術】
近年、生産者が生産する製品に対するユーザの要求は多様化しつつあり、ユーザの要求を満足する製品を製造することが要求されるが、一方では生産者が有する設備の規模、能力等に起因する種々の制限も存在する。
このため、ユーザの要求仕様を満足するとともに生産者側の制約をも満足する生産計画を立案することが必要となるが、このような生産計画編成方法は既に実用化されている。
【０００３】
例えば製鉄所の製鋼・圧延工程の最終製品の１つである圧延鋼板Ｐに対しては、納期Ｄ、鋼板巾Ｈ、鋼板厚さｔ、鋼板長さＬ、重量Ｗ、鋼種Ｋおよび品質特性Ｑがユーザの要求仕様として登録されている。
これに対して生産者側の制約としては、例えば以下の制約がある。
１．圧延工程における圧延機のロールを交換することなく圧延することのできる圧延鋼板の重量は予め定められた範囲内でなければならない。
【０００４】
尚、ロールを交換することなく一度に圧延する量を１圧延単位と呼ぶ。
２．圧延工程の前工程である鋳造工程においてはタンディッシュを交換することなく複数の鋼種を連続的に鋳造できるが、連続的に鋳造できる最大チャージ数には上限がある。
尚、一度に連続的に鋳造できる量を１鋳造単位と呼ぶ。通常、１鋳造単位は１つ、もしくはそれ以上の圧延単位に対応する。
３．納期Ｄを厳守する。
４．圧延機のロールを交換することなく圧延することのできる圧延鋼板の種類は、ロールの表面特性や形状などによって限定される。
【０００５】
この限定を圧延タイプと呼ぶ。圧延鋼板ごとに要求品質に応じて適用可能な圧延タイプが定まる。
５．１圧延単位内の圧延鋼板は、圧延機による圧延処理の順番に、鋼板幅が順次狭くなるように並べなければならない。なお、同一幅の圧延鋼板については、板厚が順次薄くなるように並べなければならない。
６．連続する並びの圧延鋼板の板厚の差は所定の制限以内でなければならない。
７．鋳造単位内のスラブの順番は、連続鋳造機による鋳造処理の順番であるが、スラブの鋳造完了時期は可能な限り圧延開始時間順に合致するようにする。
８．鋳造単位内では同一幅のスラブを可能な限り集めるようにする。
９．１台の連続鋳造機で相違する鋼種を鋳造する場合は、鋼種の切替わり部においては品質は劣化する。
【０００６】
この様な状況において１〜９の制約を全て満足する生産計画を立案することは極めて困難であるため、以下のような一連の流れで具体化する。
まず、１鋳造単位ならびにそれに対応する１または複数の圧延単位をどのような形にするかを、連鋳工程の前工程にある溶鉱炉からの出銑量や在庫状況、設備稼働計画などを考慮し、さらに制約１、２、３を満足するように決める。例えば、Ａ鋼種６チャージ、Ｂ鋼種２チャージの合計８チャージを１鋳造単位とし、この１鋳造単位はある圧延タイプの１圧延単位に対応するものとする。
【０００７】
次に、この鋳造単位と圧延単位で製造すべき注文をＡ鋼種６チャージ、Ｂ鋼種２チャージ分だけ制約３および４を満足するように選択する。この際、制約３を制約４に対して優先させる。
さらに、各注文に対応した圧延鋼板を制約５を満足するように並べて圧延工程生産計画を編成する。このとき、どのように並びかえても制約６を満足しない圧延鋼板が存在する場合には、制約違反鋼板としてタグを付けておく。
【０００８】
さらに、編成を終えたスラブを鋳造するために連続鋳造機における鋳造順序を制約７、８を満たすように決定する。
最後に、決定された順序で鋳造した場合に制約９が満足されるか、例えば、高品質であるべきである注文が鋼種の継ぎ目に割り付けられていないかを検査する。
【０００９】
制約に違反したままでは鋳造あるいは熱間圧延工程に対して製造命令を発行できないため、オペレータは対策を検討して制約を満足するように注文の入替えを行わなければならない。
例えば、制約６が満足されない場合、即ち、連続する２枚の圧延鋼板が存在する場合は、厚みの差の大きい２枚の圧延鋼板の中間値の厚みを有し、かつ、他の制約も満たすような注文を探して、それを上記２枚の圧延鋼板の間に挿入する。また、制約９が満足されない場合、即ち、鋼種の切替わり部に高品質が要求される注文が割り付けられている場合には、高品質が要求される注文を品質要求の厳しくない注文と交換する。
【００１０】
【発明が解決しようとする課題】
しかしながら、多種多様の注文の中から適切な注文を検索することによる、あるいは制約解消のための作業時間に余裕がなく注文に紐付かないスラブの製造命令を出さざるを得ないことによる生産性の低下は避けることができない。
この課題を解決するために、当初から１〜９の制約をすべて満足する注文を選択することも考えられるが、選択が収斂しない場合もある。
【００１１】
また、注文の内容すなわち圧延鋼板の特性や注文量によっては、上記の手順とは異なる手順で生産計画を立案する方が効率的な場合もある。
そこで、生産計画編成方法の中に、注文など生産計画立案時の状況に応じて生産計画立案手順を変更できる仕組みや、オペレータと計算機が協調して生産計画を立案することが可能な仕組みが必要となる。
【００１２】
本発明は上記課題を鑑みなされたものであって、種々の注文仕様に対応することが可能であるとともに、複数の各生産工程の制約も同時に満足する全体生産計画を編成する場合にも生産性の低下を抑制することの可能な生産計画編成装置を提供することを目的とする。
【００１３】
【課題を解決するための手段】
第１の発明に係る生産計画編成装置は、注文品目情報とその注文品目の製造方法からなる明細情報を記憶した明細情報記憶部と、注文品目を製造するために必要な工程における工程生産計画を編成する生産計画手順であるシナリオを複数記憶したシナリオ記憶部と、シナリオ記憶部に記憶された複数のシナリオから所定のシナリオを選定し、選定されたシナリオに基づいて工程生産計画の編成を実行するための指令を出力するシナリオ実行部と、予め設定した制約条件を満足し、明細情報記憶部に記憶された明細情報及びシナリオ実行部によって選定されたシナリオに基づいて、工程生産計画を編成する編成処理部を具備する。
【００１４】
本発明にあっては、シナリオに従って工程生産計画編成手段が実行され、注文および各工程の制約を満足する生産計画が立案される。
第２の発明に係る生産計画編成装置は、シナリオ記憶部は、生産計画の編成を実行する編成処理部の特定、編成処理部による生産計画の編成の順序、明細情報の入替えの有無、ならびに編成実行時の前提条件の指定に関する情報を含むシナリオを少なくとも２つ以上記憶する。
【００１５】
本発明にあっては、シナリオに従って工程編成手段が実行されるが、生産工程の制約を満たさない場合には注文の補填が行なわれ、明細情報および各工程の制約を満足する生産計画が立案される。
第３の発明に係る生産計画編成装置は、シナリオ実行部で明細情報の入替えまたは追加「有」のシナリオが選定され、かつ、最初に編成された工程生産計画に含まれる明細情報の中に当該工程の制約条件を満足しない明細情報が存在する場合は、明細情報を入替えまたは追加する明細情報補填処理部と、明細情報補填処理部から明細情報の入替えまたは追加の要求を受けた場合に、制約条件を満足する明細情報を明細情報記憶部に記憶された明細情報から再選択して明細情報補填処理部に転送する明細情報選択処理部を更に具備する。
【００１６】
本発明にあっては、シナリオに従って注文および各工程の制約を満足する生産計画が編成される。
第４の発明に係る生産計画編成装置は、注文品目を製造するために必要な複数の工程に対応した複数の編成処理部を具備し、複数の編成処理部のそれぞれで編成された生産計画編成を相互に交換する生産計画編成交換手段を更に具備する。
【００１７】
本発明にあっては、工程別生産計画編成手段のそれぞれで編成された生産計画編成が相互に交換される。
第５の発明に係る生産計画編成装置は、注文品目情報とその注文品目の製造方法からなる明細情報を記憶する明細情報記憶部を含む明細情報管理手段と、注文品目を製造するために必要な鋳造工程における鋳造工程生産計画及び圧延工程における圧延工程生産計画を編成する生産計画手順であるシナリオを複数記憶したシナリオ記憶部と、シナリオ記憶部に記憶された複数のシナリオから所定のシナリオを選定し、選定されたシナリオに基づいて鋳造工程生産計画及び圧延工程生産計画の編成を実行するための指令を出力するシナリオ実行部と、予め設定した制約条件を満足し、明細情報記憶部に記憶された明細情報及びシナリオ実行部から出力された前記指令に基づいて、鋳造工程生産計画を編成する鋳造編成処理部と、予め設定した制約条件を満足し、明細情報記憶部に記憶された明細情報及びシナリオ実行部によって選定されたシナリオに基づいて、圧延工程生産計画を編成する圧延編成処理部と、鋳造編成処理部が、シナリオ実行部で明細情報の入替え「有」のシナリオが選定され、かつ、最初に編成された鋳造工程生産計画に含まれる明細情報の中に当該工程の制約条件を満足しない明細情報が存在する場合は、明細情報を入替える鋳造工程明細情報補填処理部と、圧延編成処理部が、シナリオ実行部で明細情報の入替え「有」のシナリオが選定され、かつ、最初に編成された圧延工程生産計画に含まれる明細情報の中に当該工程の制約条件を満足しない明細情報が存在する場合は、明細情報を入替える圧延工程明細情報補填処理部と、鋳造工程明細情報補填処理部又は圧延工程明細情報補填処理部から明細情報の入替え要求を受けた場合に、制約条件を満足する明細情報を明細情報記憶部に記憶された明細情報から再選択して鋳造工程明細情報補填処理部又は圧延工程明細情報補填処理部に転送する明細情報選択処理部を具備する。
【００１８】
本発明にあっては、シナリオに従って生産工程の制約を満たさない場合には明細情報を補填して注文および各工程の制約を満足する鉄鋼生産計画が立案される。
第６の発明に係る生産計画編成装置は、シナリオ記憶部が、少なくとも、
１．明細情報の選択から生産計画の編成を開始する自動編成シナリオ
２．予め選択された明細情報に基づいて生産計画を編成する明細固定編成シナリオ
３．製造ロット内の生産順を固定して生産計画を編成する製造順固定編成シナリオ
を記憶する。
【００１９】
本発明にあっては、シナリオ記憶部に、少なくとも３種類のシナリオが記憶される。
第７の発明に係る生産計画編成装置は、シナリオ記憶部が、少なくとも、圧延編成処理部及び鋳造編成処理部を、圧延編成処理部、鋳造編成処理部、圧延編成処理部の順序に実行し、最初の圧延編成処理部および鋳造編成処理部の実行時には明細情報補填処理部による補填を行い、最後の圧延編成処理部の実行時には明細情報補填処理部による補填を行わないシナリオを記憶する。
【００２０】
本発明にあっては、明細情報ならびに圧延工程および鋳造工程の制約を満足する製鉄所における鋳造および圧延生産計画が全自動で立案される。
第８の発明に係る生産計画編成装置は、シナリオ記憶部が、少なくとも、圧延編成処理部及び鋳造編成処理部を、鋳造編成処理部、圧延編成処理部の順序に実行し、鋳造編成処理部の実行時には明細情報補填処理部による補填を行い、圧延編成処理部の実行時には明細情報補填処理部による補填を行わないシナリオを記憶する。
【００２１】
本発明にあっては、予め圧延工程生産計画編成手段に組み込まれた明細情報に基づいて圧延工程および鋳造工程の制約を満足する生産計画が編成される。
第９の発明に係る生産計画編成装置は、シナリオ記憶部が、少なくとも、圧延編成処理部及び鋳造編成処理部を、鋳造編成処理部、圧延編成処理部の順序に実行し、鋳造編成処理部および圧延編成処理部の実行時には明細情報補填処理部による補填を行わないシナリオを記憶する。
【００２２】
本発明にあっては、予め圧延工程生産計画編成手段および鋳造工程生産計画編成手段に組み込まれた明細情報に基づいて圧延工程および鋳造工程の制約を満足する生産計画が編成される。
第１０の発明に係る生産計画編成装置は、シナリオ記憶部が、少なくとも、鋳造編成処理部だけを鋳造順を変更せずに鋳造工程生産計画を編成するシナリオを記憶する。
【００２３】
本発明にあっては、鋳造順を変更せずに鋳造工程の生産計画が編成される。
【００２４】
【発明の実施の形態】
図１は、本発明の実施形態である製鉄所の連続鋳造から熱間圧延までの工程説明図であって、連続鋳造工程（以下単に鋳造工程と称す）１１と熱間圧延工程（以下単に圧延工程と称す）１２とからなる。
鋳造工程１１は、レードルＬからタンディッシュＴを介して溶鋼を受けるモールドＭと、モールドＭから引抜いたスラブＳをガイドするロールＲと、スラブＳを所定長さに切断するシャ−Ｃとから構成される。
【００２５】
また、圧延工程１２は、シャーＣで所定長さに切断されたスラブＳを粗圧延する粗圧延機Ａと、注文製品厚さの薄鋼板（ストリップ）（以下圧延鋼板と称す）に仕上げ圧延する仕上圧延機Ｙと、仕上圧延された圧延鋼板をコイル状に巻き取る巻取機Ｂとから構成される。
鋳造工程１１において、１レードル分の溶鋼量を１チャージと称し、鋳造工程１１では数チャージを連続して鋳造してスラブＳを製造する場合もある。また、溶鋼が含有する炭素、珪素、マンガン等の成分とその量により溶鋼の種類、即ち、鋼種が決定されるが、鋼種は鋳造工程１１の前工程である転炉（図示せず）等においてチャージ単位で作りこまれる。そして、１鋳造単位には複数の鋼種が含まれる場合があり、例えば、６チャージ分のＡ種鋼と２チャージ分のＢ種鋼とからなる８チャージで１鋳造単位を構成する場合もある。
【００２６】
鋳造工程１１における生産計画編成（以下単に鋳造工程生産計画編成と称する。）とは、下記（１）〜（４）を決定することである。
（１）１鋳造単位に於けるスラブＳの鋳造順序。
（２）１鋳造単位内のスラブＳの配置順序。
（３）各チャージごとの鋼種および溶鋼量。
（４）鋳造工程１１の前工程である転炉工程（図示せず）での吹錬方法。
【００２７】
また、圧延工程１２での生産計画編成（以下単に圧延工程生産計画編成と称する。）とは、下記（１）および（２）を決定することである。
（１）１圧延単位におけるスラブＳの圧延順序。
（２）１圧延単位内の圧延鋼板の配置順序。
なお、１本のスラブＳが１本の圧延鋼板に対応する必要はなく、１本のスラブＳが複数の圧延鋼板に対応してもよい。
【００２８】
通常、１鋳造単位は１つまたは複数の圧延単位に対応付けられる。この両単位を対応づける理由は、鋳造後のスラブＳの温度が低下しないうちに圧延を行なうことにより生産効率の向上を図るためである。例えば、Ａ鋼種６チャージ、Ｂ鋼種２チャージの合計８チャージからなる１鋳造単位を鋳造工程１１でスラブＳとして鋳造し、特定の圧延タイプの１圧延単位として圧延工程１２で圧延鋼板を製造する場合もある。
【００２９】
このように鋳造単位と圧延単位の両生産工程１１、１２が結びつけられているため、鋳造工程生産計画編成と圧延工程生産計画編成とを独立させて各々にとって都合のよい生産計画を立案することはできず、鋳造工程１１と圧延工程１２とが一貫性を持つように生産計画を立案する必要がある。
鋳造工程産計画編成と圧延工程生産計画編成との一貫性を考慮した全体の工程生産計画編成をＶロット編成と称する。
【００３０】
鋳造単位と圧延単位の構成、即ち、鋳造単位の鋼種ごとのチャージ数と、それに紐付く圧延単位とその圧延タイプは、溶鉱炉（図示せず）からの出銑量や在庫状況、設備稼働計画、注文状況などを考慮して事前に決定される。
鋳造工程生産計画編成を実行する際の制約としては以下に示すＣ−１〜Ｃ−５がある。
Ｃ−１：鋳造される鋼種の注文に対応するスラブＳを割り付けなければならない。
Ｃ−２：鋳造単位内のスラブの最大幅と最小幅の差は一定量以下でなければならず、かつ、出来るだけスラブＳ間の幅差の変動を少なくしなければならない。
【００３１】
例えば、最大幅差制約が６００ｍｍであるとすると１０００ｍｍ幅のスラブと１８００ｍｍ幅のスラブを、１鋳造単位に割り付けることはできない。
Ｃ−３：１鋳造単位において異なる鋼種を鋳造する場合は、鋼種の変更部分（継ぎ目部分）の品質は劣化するので、この部分には高品質のスラブＳを配置することはできない。
【００３２】
鋼種の切替わり部分とは、先行スラブの後端部２ｍから後続スラブの前端部４ｍの部分をいう。
Ｃ−４：１チャージの最大重量（例えば、３００〜３５０トン）を越える重量のスラブＳを割り付けることはできない。
例えば、１チャージの最大溶鋼量が３５０トンである場合には、１チャージに対して３３０トンの割り付けが既に完了している場合には、さらに１５トンのスラブ１本を割り付けることは可能であるが、１５トンのスラブ２本を割り付けることはできない。１０トンのスラブを２本割り付けることは可能である。
Ｃ−５：１チャージで鋳造する溶鋼量を最大溶鋼量（３５０トン）以下で、かつできるかぎり３５０トンに近づける。
【００３３】
また、圧延工程生産計画編成を実行する際の制約としては以下のＲ−１〜Ｒ−３がある。
Ｒ−１：注文の品質、サイズなどの特性により、スラブＳごとに圧延タイプが決められる。
Ｒ−２：圧延鋼板は幅の広い順に並べる。幅が同じ場合には圧延鋼板の厚さの厚い順に並べる。
Ｒ−３：圧延鋼板の厚さの変化は急激であってはいけない。例えば、後続圧延鋼板の厚さは先行圧延鋼板の厚さの７０％以上でなければならない。
【００３４】
さらに、鋳造工程１１と圧延工程１２の間の制約として以下のＴ−１がある。
Ｔ−１：鋳造順序と圧延順序はできる限り入替えないようにする。
図２は本発明に生産計画編成装置の実施例の構成図であって、本装置の全動作を統括する生産計画編成管理手段２０、ユーザからの注文情報とその注文品目の製造条件情報からなる明細情報を記憶するとともに所定の条件に基づき明細情報を選択する明細情報管理手段２１、連続鋳造機による鋳造順序を編成しチャージごとの成分値や製鋼方法を決定する鋳造工程生産計画編成手段２２、および熱間圧延機によるスラブの圧延順序を編成する圧延工程生産計画編成手段２３とから構成される。
【００３５】
以下に各機能毎に構成を詳細に説明する。
生産計画編成管理手段２０は、シナリオ記憶部２０１、およびシナリオ実行部２０２から構成される。
シナリオ記憶部２０２は、本発明に係る生産計画編成装置による生産計画の立案手順であるシナリオを記憶する部分である。また、シナリオ実行部２０１は、オペレータあるいは他のシステムからの起動指令に基づいてシナリオ記憶部２０２から適切なシナリオを選択し、選択したシナリオに沿って明細情報管理手段２１、連続鋳造工程生産計画編成手段２２、圧延工程生産計画編成手段２３に起動指示を出して、生産計画を編成する部分である。
【００３６】
図３はシナリオの構成図であって、例えば以下の４種類のシナリオが記憶されているものとする。
・シナリオ１…全自動Ｖロット編成
鋳造工程および圧延工程の生産計画編成を全自動で実行するシナリオであって、以下の順に実行される。
ステップ１…明細情報管理手段２１に対して実行指令を出して、記憶されている明細情報の中から、事前に決められた鋳造単位、圧延単位の仕様を満足する明細情報を選択する。即ち、納期、制約Ｃ−１、Ｃ−５、Ｒ−１を満たすように、所定量、例えば、Ａ鋼種６チャージ、Ｂ鋼種２チャージに相当する量の特定の圧延タイプ、例えば、圧延タイプＵの明細情報を選択する。
ステップ２…選択された明細情報に対応する圧延鋼板の圧延順を決定する圧延工程の生産計画編成を実行する。
【００３７】
この際、「明細追加有り」を指定する。これにより、上記の制約Ｒ−２、Ｒ−３のいずれかに違反する場合には、圧延単位内の制約違反箇所に新たな圧延鋼板を装入することで制約を解消した明細情報を明細報管理手段２１の中から再度選択する。
ステップ３…ステップ２により編成された明細情報を基にスラブＳの鋳造順番を決定する鋳造工程生産計画編成を実行する。
【００３８】
この際、「明細入替え有り」を指定する。これによって、上記制約Ｃ−１〜Ｃ−５のいずれかに違反する場合には、制約を解消可能な新たな明細情報を明細情報管理手段２１の中から再選択し、更に、これにより制約Ｃ−４に違反したならば不要なスラブＳを鋳造単位から外す。
ステップ４…ステップ３におけるスラブＳの入替えにより制約Ｒ−１〜Ｒ−３およびＴ−１が満足されていないおそれがあるために、再度圧延工程生産計画編成を実行する。この際、明情報細管理手段２１の中からの再選択を禁止するために「明細入替え無し」を指定する。
・シナリオ２…簡易全自動Ｖロット編成
このシナリオは、シナリオ１と同様に、鋳造工程および圧延工程の生産計画編成を全自動で実行するシナリオであるが、事前に決められた鋳造単位が特定の１鋼種、例えば、１０チャージのＥ鋼種から構成される場合には、圧延後の圧延鋼板の要求特性やサイズがほぼ均一であることが推測されるので制約のＲ−２、Ｒ−３は容易に満足されると仮定して、編成処理の効率化の観点から、シナリオ１に比較して簡略化した手順で、Ｖロット編成を実行するものである。
ステップ１…生産計画編成管理手段２０は、明細情報管理手段２１に対して実行指令を出して、記憶されている明細情報の中から、事前に決められた鋳造単位、圧延単位の仕様を満足する明細情報を選択する。
【００３９】
即ち、納期、制約Ｃ−１、Ｃ−２、Ｃ−５、Ｒ−１を満たすように、Ａ鋼種６チャージ、Ｂ鋼種２チャージに相当する量の圧延タイプの明細情報を選択する。
ステップ２…ステップ１により選択された明細情報を基にスラブＳの鋳造順番を決定する鋳造工程生産計画編成を実行する。
【００４０】
この際、「明細入替え有り」を指定する。これによって、制約Ｃ−１〜Ｃ−５のいずれかに違反する場合には、制約を解消可能な新たな明細情報を明細情報管理手段２１の中から再選択し、さらに、これにより制約Ｃ−４に違反したならば不要なスラブを鋳造単位から外す。
ステップ３…ステップ２で編成したスラブＳに対して、Ｒ−１〜Ｒ−３およびＴ−１が満足されるように圧延工程生産計画編成を実行し、圧延順を決める。この際、明情報細管理手段２１からの再選択を禁止するたために「明細入替え無し」を指定する。
・シナリオ３…明細入替えをしないＶロット編成
このシナリオは、例えば、全自動Ｖロット編成または手動により鋳造工程生産計画および圧延工程生産計画を編成した後に、納期上の観点などからオペレータが手動で、鋳造単位内または圧延単位内に組み込まれたスラブＳまたは圧延鋼板の組外し、もしくは鋳造単位内または圧延単位へスラブＳまたは圧延鋼板の追加を行なった場合に、即ち、鋳造単位内または圧延単位内に割り付けられた明細情報に変更があった場合に、鋳造単位内または圧延単位内のスラブＳまたは圧延鋼板を、制約を満たすように並び変えるために使用される。
ステップ１…鋳造単位内の鋳造順序を制約Ｃ−１〜Ｃ−４を満足するように決定するため、鋳造工程生産計画編成を実行する。
【００４１】
この際、明細情報管理手段２１の中からの再選択を禁止するために「明細入替え無し」を指定する。
ステップ２…圧延単位内の圧延順を上記制約Ｒ−２、Ｒ−３およびＴ−１を満足するように変更するため、圧延工程生産計画編成を実行する。
この際、明細情報管理手段２１の中からの再選択を禁止するために「明細入替え無し」を指定する。
・シナリオ４…鋳造順を変更しない鋳造編成
このシナリオは、例えば全自動Ｖロット編成または手動により鋳造工程生産計画および圧延工程生産計画を編成した後に、転炉工程、鋳造工程上の観点などからオペレータが手動で鋳造単位内のスラブの配置順を変更したときに、チャージに割り付けられたスラブＳの品質に基づきチャージごとの炭素、珪素、マンガン等の成分値及び、チャージ重量を再計算し転炉工程などでの製鋼方法を再決定するために使用される。
ステップ１…スラブＳの配置順が変更された結果に対して、鋳造工程生産計画編成を実行し、チャージの重量、含有元素成分値等を再計算し、製鋼方法を決定する。
【００４２】
この際、スラブの鋳造順序の変更を禁止するために「明細入替え無し」を指定する。
明細情報管理手段２１は、明細情報記憶部２１１および明細情報選択処理部２１２から構成される。
明細情報記憶部２１１は、客先からの注文Ｐが例えば次項目で表される明細情報として記憶されている。
【００４３】
Ｐ｛Ｈ，Ｌ，ｔ，Ｗ，Ｋ，Ｑ，Ｄ｝
ここで、Ｈは板巾（ミリメートル）
Ｌは板長（ミリメートル）
ｔは板厚（ミリメートル）
Ｗは重量（トン）
Ｋは鋼種
Ｑは品質特性およびそれに基づく製造方法
Ｄは納期を表わす。
【００４４】
明細情報選択処理部２１２は、生産計画編成管理手段２０、鋳造工程生産計画編成手段２２および圧延工程生産計画編成手段２３から指示された条件を満足する明細情報を明細情報記憶部２１１に記憶されている明細情報の中から選択する。
例えば、シナリオ１では生産計画編成管理手段２０はステップ１で以下の条件を設定する。
１．鋳造予定日ＤL 
２．鋼種とその重量。
【００４５】
例えば鋳造単位がＡ種鋼６チャージとＢ種鋼２チャージで構成される場合は鋼種値をＫA およびＫB に、重量をＷA およびＷB に設定する（制約Ｃ−１およびＣ−５に相当する）。
３．圧延タイプＴR を設定する（制約Ｒ−１に相当する）。
次に、明細情報選択処理部２１２は、記憶されている注文Ｐの中から、例えば、以下の１〜３の条件を満足する注文ＰをＷA とＷB に相当する注文量だけ選択する。
１．納期Ｄが（鋳造予定日ＤL ＋製造工期）より以前かそれに近いもの。
２．鋼種値ＫがＫA またはＫB （制約Ｃ−１に相当）のもの。
３．圧延タイプＴR は品質特性及びそれに基づく製造方法Ｑから求められる可能圧延タイプの集合に含まれる（制約Ｒ−１に相当）のもの。
【００４６】
また、シナリオ１のステップ２において、制約解消のために新たな明細選択、即ち、圧延鋼板を選択追加する場合には以下の１〜３の条件を指定する。
１．圧延鋼板の板幅  ＨP 
２．圧延鋼板の最小板厚  ｔMIN 、および最大板厚  ｔMAX 
３．選択すべき圧延鋼板の枚数ＮP 
次に、明細情報選択処理部２１２は、すでに記憶されている注文Ｐの中から、以下の１および２を満足する注文ＰをＮP 枚だけ選択する。
１．ｔMIN ＜ t＜ｔMAX 
２．Ｈ＝ＨP 
圧延工程生産計画編成手段２３は圧延編成処理部２３１、明細情報補填処理部２３２および圧延編成情報記憶部２３３から構成される。
【００４７】
圧延編成処理部２３１は圧延鋼板を圧延単位内に前記制約Ｒ−２、Ｒ−３を満足するように並べることにより生産計画を編成し、その結果を圧延編成情報記憶部２３３に保存する。
例えば、シナリオ１のステップ２では、シナリオ１において明細情報管理手段２１の明細情報選択処理部２１２によって選択された注文Ｐに対応する圧延鋼板を制約Ｒ−２を満足するように板幅の広い順に並び替える。なお、板幅が同じ場合は板厚が厚い順に並び替える。
【００４８】
次に並び替えた結果が制約Ｒ−３を満足するかを検査し、制約Ｒ−３を満足していない箇所を見出す。
シナリオで「明細追加有り」が選択されている場合には、明細情報補填処理部２３２を起動する。明細情報補填処理部２３２は追加装入が必要な圧延鋼板の板幅、板厚範囲、およびその枚数を指定し、明細情報管理手段２１の明細情報選択処理部２１２に検索、選択を指示する。明細情報選択処理部２１２は明細情報記憶部２１１の中から指定された条件に合致する圧延鋼板を検索、選択し、明細情報補填処理部２３２に転送し、明細情報補填処理部２３２は制約Ｒ−３に違反した箇所に新たに選択した圧延鋼板を追加挿入して、制約Ｒ−３を解消する。
【００４９】
圧延編成情報記憶部２３３は、圧延編成処理部２３１および明細情報補填処理部２３２、あるいは手動での編成が終了した圧延単位内の圧延鋼板の情報を記憶する。
鋳造工程生産計画編成手段２２は、鋳造編成処理部２２１、明細情報補填処理部２２２および鋳造編成情報記憶部２２３から構成される。
【００５０】
鋳造編成処理部２２１は、連続鋳造機によって製造されるスラブの鋳造順序を制約Ｃ−１〜Ｃ−５を満たすように決定し、さらにチャージごとの成分値やチャージ重量を計算し、転炉設備などでの製鋼方法を決定する。
例えば、シナリオ１のステップ３では、ステップ２において圧延工程生産計画編成手段によって編成されたスラブを、制約Ｃ−１〜Ｃ−５を満足するように並べて鋳造単位を編成し、鋳造編成情報記憶部２２３に格納する。
【００５１】
この際、制約Ｃ−３が満足されるかを検査し、制約が満足されず、かつ、シナリオにおいて「明細入替え有り」が指定されている場合は、明細情報補填処理部２２２は、制約Ｃ−３を満たすような品質特性Ｑの特性を持つ新たなスラブを選択するように明細情報管理手段２１の明細情報選択処理部２１２に指令する。
明細情報選択処理部２１２は、その条件に適合するスラブを検索、選択し、明細情報補填処理部２２２に転送する。明細情報補填処理部２２２は、渡された新たなスラブを、制約Ｃ−３を満たすように鋳造単位内に組み込む。新たな組み込みにより制約Ｃ−４に違反するほど１チャージの重量が増加した場合には、別のスラブを鋳造単位から組外す。
【００５２】
鋳造編成情報記憶部２２３は、鋳造編成処理部２２１および明細情報補填処理部２２２、あるいは手動によって編成された鋳造単位内のスラブおよびチャージの成分情報、重量、製鋼方法などを記憶する。
図４は、本発明に係る生産計画編成装置のハードウエア構成図の１例であって、バス４０を中心としてＣＰＵ４１、メモリ４２、ハードディスク４３、キーボードとマウス４４、およびディスプレイ４５で構成される。
【００５３】
ここでシナリオ記憶部２０１、明細情報記憶部２１１、鋳造編成情報記憶部２２３、圧延編成情報記憶部２３３はメモリ４２上に存在する。シナリオ実行部２０２、明細情報選択処理部２１２、鋳造編成処理部２２１、明細情報補填処理部２２２、圧延編成処理部２３１、明細情報補填処理部２３２のプログラム実行コードもメモリ４２上に置かれ、ＣＰＵ４１がこれらのプログラム実行コードを読み取り実行する。
【００５４】
ハードディスク４３には、必要に応じてシナリオ記憶部２０１、明細情報記憶部２１１、鋳造編成情報記憶部２２３、圧延編成情報記憶部２３３の情報が記憶される。
さらに、キーボードおよびマウス４４は、オペレータがシナリオ記憶部２０１に記憶されているシナリオの１つ、例えば、シナリオ１の全自動Ｖロット編成を指定して生産計画編成の起動指令を入力したり、あるいはまた、編成された後にさらに手動で鋳造単位からスラブを組外したり、鋳造順序を入れ替えたりする指示を入力するために使用される。
【００５５】
ディスプレイ４５は、例えば、シナリオ１の全自動Ｖロット編成の結果である鋳造編成情報記憶部２２３や圧延編成情報記憶部２３３の内容を、画面表示してオペレータなどに伝えるために使用される。
なお上記はいわゆる「スタンドアロン型」のシステムを適用した場合について説明したが、ネットワークを介したいわゆる「クライアント−サーバ型」システムによっても本発明に係る生産計画編成装置を構成することが可能である。
【００５６】
この場合には、キーボードとマウスなどの入力装置とディスプレイなどの表示装置をクライアントとし、生産計画編成管理手段２０、明細情報管理手段２１、鋳造工程生産計画編成手段２２、圧延工程生産計画編成手段２３から構成される生産計画編成装置本体はサーバに割り付けることが適当である。
以下に各シナリオの実行手順を具体的な数値を使用して説明する。
【００５７】
まず、キーボードとマウス４４を使用して、これからＶロット編成を行なう対象を設定するため以下の情報を入力する。
鋳造単位の構成：鋼種：Ａ（６チャージ分）、Ｂ（２チャージ分）
圧延単位の構成：圧延タイプ＝Ｕタイプ
そして、シナリオ１を実行する場合は、ディスプレイ４５に表示されたシナリオのメニューの中からキーボードとマウス４４を使用して、シナリオ１を選択して、シナリオ１の実行を開始する。即ち、シナリオ実行部２０２が、メモリ４２上に存在するシナリオ記憶部２０１の中からシナリオ１の内容を読み取り、これに沿ってシナリオの実行を開始する。
ステップ１：
１．シナリオ実行部２０２が明細情報選択処理部２１２を起動する。明細情報選択処理部２１２は、メモリ４２上に存在する明細情報記憶部２１１に記憶された明細情報の中から鋳造単位およびそれに対応する圧延単位に基づき、納期、制約Ｃ−１、Ｃ−５、Ｒ−１を満足するように明細情報を選択する。
ステップ２：
１．シナリオ実行部２０２が、ステップ１で選択された明細情報を引数として圧延編成処理部２３１を明細追加有りの指示付きで起動する。そして、圧延編成処理部２３１は、渡された明細情報を制約Ｒ−２を満足するように、即ち、板幅の広い順に並べ替え、板幅が同じときは板厚の厚い順に並べ替える。
【００５８】
２．並べ替えが完了した後に、制約Ｒ−３が満足されるか、即ち後行の圧延鋼板の板厚が先行の圧延鋼板の板厚の７０％以上であるかを検査し、満足されない箇所を見出す。
３．制約Ｒ−３が満足されない箇所が存在するときは、明細情報補填処理部２３２を実行して、明細情報選択処理部２１２に、制約Ｒ−３を満足する圧延鋼板、即ち、板厚が先行の注文の板厚の７０％以上である圧延鋼板を検索させる。これにより、明細情報選択処理部２１２は、メモリ４２中に存在する明細情報記憶部２１１から制約Ｒ−３を満足する明細情報を選択し、明細情報補填処理部２３２に転送する。明細情報補填処理部２３２は、この圧延鋼板をもとの圧延鋼板の間に挿入する。
【００５９】
４．以上の処理によって作成された圧延編成結果をメモリ４２上に存在する圧延編成情報記憶部２３３に格納する。
ステップ３：
１．シナリオ実行部２０２が、ステップ２で編成された圧延鋼板に対応する明細情報を引数として鋳造編成処理部２３１を明細入れ替え有りの指示付きで起動する。鋳造編成処理部２３１は、与えられた明細情報をＣ−１〜Ｃ−５を満足するように鋳造単位内に並べる。その際、制約Ｃ−３を満足するか、即ち、鋼種の切替わり部に高品質の注文が割り付けられていないかを検査し、満足されていない箇所を見出す。
【００６０】
２．制約Ｃ−３が満足されていない箇所が存在するときは、明細情報補填処理部２３２を実行して、明細情報選択処理部２１２に制約Ｃ−３を満足するスラブを検索させ、これを鋳造単位に追加する。
３．追加された結果に対し、各チャージの重量が制約Ｃ−４を満足するか、即ち重量が３５０トンを越えていないかを検査する。
【００６１】
４．制約Ｃ−４を満足しない場合は、他の制約を違反せず、納期に余裕があり、かつ、できる限り制約Ｃ−５を満たすようなスラブを選択し、制約を満足しないスラブと入れ替る。なお、入れ替えの対象となるスラブが複数ある場合は、最も納期の遅いスラブを、納期も同じ場合は、軽量スラブを選択する。
【００６２】
５．以上の処理によって作成された鋳造編成結果をメモリ４２上に存在する鋳造編成情報記憶部２２３に記憶する。
ステップ４：
１．シナリオ実行部２０２が、ステップ３で編成されたスラブに対応する明細情報を引数として圧延編成処理部２３１を明細入れ替え無しの指示付きで起動する。
【００６３】
圧延編成処理部２３１は、制約Ｒ−１〜Ｒ−３およびＴ−１を満足するように圧延単位内の圧延鋼板の圧延順を並び変える。この際、新たな明細情報の追加や入れ替えは行なわない。
２．以上の処理によって作成された圧延編成結果をメモリ４２上に存在する圧延編成情報記憶部２３３に記憶する。
【００６４】
３．最終の鋳造編成結果および圧延編成結果をディスプレイ４５に表示する。
シナリオ２は、シナリオ１と同様に、鋳造工程および圧延工程の生産計画編成を全自動で実行するシナリオであるが、事前に決められた鋳造単位が特定の鋼種、例えば、Ｅ鋼種のみの１０チャージから構成されている場合には圧延鋼板の要求特性やサイズがほぼ均一であることが推測されるので、制約Ｒ−２、Ｒ−３は容易に満足されるため、編成処理の効率化の観点から、シナリオ１に比較して簡略化された手順でＶロット編成を実行するものである。
【００６５】
シナリオ２で設定されるパラメータは、例えば、以下であるとする。
鋳造単位の構成：鋼種＝Ｅ（１０チャージ分）
圧延単位の構成：圧延タイプ＝Ｙタイプ
このシナリオ２を実行する場合は、ディスプレイ４５に表示されたシナリオのメニューの中からキーボードとマウス４４を使用して、シナリオ２を選択して、シナリオ２の実行を開始する。
【００６６】
即ち、シナリオ実行部２０２が、メモリ４２上に存在するシナリオ記憶部２０１の中から、シナリオ２の内容を読み取り、下記の実行を開始する。
ステップ１：
１．シナリオ実行部２０２が、明細情報選択処理部２１２を起動する。明細情報選択処理部２１２は、メモリ４２上に存在する明細情報記憶部２１１から上記の鋳造単位とそれに対応する圧延単位の構成に基づき、納期、制約Ｃ−１、Ｃ−５、Ｒ−１を満足する明細情報を選択する。
ステップ２：
１．シナリオ実行部２０２が、ステップ１で選択された明細情報を引数として鋳造編成処理部２３１を明細入れ替え有りの指示付きで起動する。鋳造編成処理部２３１は与えられた明細情報をＣ−１〜Ｃ−５を満足するように鋳造単位内に並べる。その際、制約Ｃ−３を満足するか、即ち、鋼種の切替わり部に高品質の注文が割り付けらていないかを検査し、制約Ｃ−３が満足されていない箇所を見出す。
【００６７】
２．制約Ｃ−３が満足されていない箇所が存在するときは、明細情報補填処理部２を実行して、明細情報選択処理部２１２に制約Ｃ−３を満足するスラブを検索させ、これを鋳造単位に追加する。
３．追加された結果に対し、各チャージの重量が制約Ｃ−４を満足するか、即ち、重量が３５０トンを越えていないかを検査する。
【００６８】
４．制約Ｃ−４を満足しない場合は、他の制約を違反せず、納期に余裕があり、かつ、できる限り制約Ｃ−５を満たすようなスラブＳを選び、このスラブＳを鋳造単位から組外す。組外し可能なスラブが複数ある場合は、最も納期の遅いスラブを組外す。納期も同じ場合は、軽量のスラブを組外す。５．以上の処理によって作成された鋳造編成結果をメモリ４２上に存在する鋳造編成情報記憶部２２３に記憶する。
ステップ３：
１．シナリオ実行部２０２が、ステップ３で編成されたスラブに対応する明細情報を引数として圧延編成処理部２３１を明細入れ替え無しの指示付きで起動する。圧延編成処理部２３１は、制約Ｒ−１〜Ｒ−３およびＴ−１を満足するように圧延単位内の圧延鋼板の圧延順を並び変える。この際、明細情報の追加や入れ替えは行なわない。
【００６９】
２．以上の処理によって作成された圧延編成結果をメモリ４２上に存在する圧延編成情報記憶部２３３に記憶する。
３．最終の鋳造編成結果および圧延編成結果をディスプレイ４５に表示する。
シナリオ３は、鋳造単位や圧延単位を一旦編成した後に、例えば納期上の観点からオペレータが手動で注文を組み込みあるいは組外して、鋳造単位や圧延単位に組み込みたい注文を指定した後に、鋳造および圧延の順序を最適化するものであるので、明細情報選択は実行されず直ちに圧延編成処理が実行される。
【００７０】
シナリオ３は、シナリオ１と同様に以下であるとする。
鋳造単位の構成：鋼種＝Ａ（６チャージ分）、Ｂ（２チャージ分）
圧延単位の構成：圧延タイプ＝Ｕタイプ
シナリオ３を実行する場合は、ディスプレイ４５に表示されたシナリオのメニューの中からキーボードとマウス４４を使用して、シナリオ３を選択して、シナリオ３の実行を開始する。即ち、シナリオ実行部２０２が、メモリ４２上に存在するシナリオ記憶部２０１の中から、シナリオ３の内容を読み取り、シナリオの実行を開始する。
ステップ１：
１．シナリオ実行部２０２が、鋳造編成処理部２２１を明細入れ替え無しの指示付きで起動する。鋳造編成処理部２２１は、メモリ４２上に存在する鋳造編成情報記憶部に格納されているスラブを編成対象として、制約Ｃ−１〜Ｃ−４を満足するようにスラブを並び変える。
【００７１】
Ｃ−１の制約に関しては、例えば、鋼種Ａのチャージ内に鋼種Ｂのスラブが配置されていれば、このスラブを鋼種Ｂのチャージ内に配置するように並び変える。
２．上記の処理によって作成された鋳造編成結果をメモリ４２上に存在する鋳造編成情報記憶部２２３に記憶する。
ステップ２：
１．シナリオ実行部２０２が、圧延編成処理部２３１を明細入れ替え無しの指示付きで起動する。圧延編成処理部２３１は、メモリ４２上に存在する圧延編成情報記憶部に格納されている圧延鋼板を編成対象として、制約Ｒ−１〜Ｒ−３およびＴ−１を満足するように圧延単位内の圧延鋼板の圧延順を並び変える。
【００７２】
２．上記の処理によって作成された圧延編成結果をメモリ４２上に存在する圧延編成情報記憶部２３３に記憶する。
３．最終の鋳造編成結果および圧延編成結果をディスプレイ４５に表示する。
また、シナリオ４を実行する場合は、ディスプレイ４５に表示されたシナリオのメニューの中からキーボードとマウス４４を使用して、シナリオ４を選択して、シナリオ４の実行を開始する。
【００７３】
即ち、シナリオ実行部２０２が、メモリ４２上に存在するシナリオ記憶部２０１の中から、シナリオ４の内容を読み取り、これに沿ってシナリオの実行を開始する。
このシナリオ４は、鋳造単位や圧延単位を一旦編成した後に、例えば製鋼工程上の観点などから、オペレータが手動で鋳造単位内のスラブの配置順を変更したときに、チャージに割り付けられたスラブの各々の品質に基づきチャージごとの炭素、珪素、マンガン等の成分値やチャージ重量を再計算し、転炉設備などでの製鋼方法を再決定するためのものであるので、明細情報選択や圧延編成処理は実行されず、直ちに鋳造編成処理が実行される。
ステップ１
１．シナリオ実行部２０２が、鋳造編成処理部２２１を鋳造順変更無しの指示付きで起動する。また、鋳造編成処理部２２１は、メモリ４２上に存在する鋳造編成情報記憶部に格納されているスラブを編成対象として、スラブの配置順序を変更することなしに、チャージの重量、含有元素成分値等を再計算し、製鋼方法を決定する。
【００７４】
２．上記の処理によって作成された鋳造編成結果をメモリ４２上に存在する鋳造編成情報記憶部２２３に記憶する。
３．最終の鋳造編成結果および圧延編成結果をディスプレイ４５に表示する。
以上は製鉄所における鋳造・圧延工程の生産計画立案について説明したが、１つの生産ラインを複数の工程に分割できるものであれば、どのような生産ラインに対しても適用することが可能である。
【００７５】
【発明の効果】
第１の発明に係る生産計画装置によれば、生産計画立案時点の状況に応じて明細情報および各工程の制約を満足する生産計画を自動的に立案することが可能となる。
第２から４の発明に係る生産計画装置によれば、所定の明細情報では個別の生産工程の制約が満たされない場合に、明細情報の補填を行なうことで制約を満足する生産計画を自動的に立案することが可能となる。
【００７６】
第５から１０の発明に係る生産計画装置によれば、製鉄所の生産状況に応じて客先の注文ならびに各工程の制約を満足する製鉄工程の生産計画を自動的に立案することが可能となる。
なお、所定の明細情報では鋳造工程と圧延工程の制約が満たされない場合には明細情報の補填を行なうことで制約を満足する鋳造工程と圧延工程の生産計画を自動的に立案することが可能となる。
【図面の簡単な説明】
【図１】連続鋳造から熱間圧延までの工程までの工程説明図である。
【図２】本発明に係る生産計画編成装置の実施例の構成図である。
【図３】シナリオの構成図である。
【図４】ハードウェア構成図である。
【符号の説明】
２０…生産計画編成管理手段
２０１…シナリオ記憶部
２０２…シナリオ実行部
２１…明細情報管理手段
２１１…明細情報記憶部
２１２…明細情報選択処理部
２２…鋳造工程生産計画編成手段
２２１…鋳造編成処理部
２２２…明細情報補填処理部
２２３…鋳造編成情報記憶部
２３…圧延工程生産計画編成手段
２３１…圧延編成処理部
２３２…明細情報補填処理部
２３３…圧延編成情報記憶部
【図１】
0004025449.tif 000002
【図２】
0004025449.tif 000003
【図３】
0004025449.tif 000004
【図４】
0004025449.tif 000005